(57)【要約】      （修正有）【課題】夏季に使用しても暑苦しくなく、顔の鼻より下の日焼けを防止できる日焼け防止用具を提供する。【解決手段】眼鏡１のフレームの下枠に沿って上縁を形成してなるマスク本体１１の上縁を眼鏡のテンプル２に取り外し自在に掛止するとともに、マスク本体の略中央に位置する上縁を眼鏡のブリッジ３に取り外し自在に掛止するようにしてなる。【選択図】図１
0003133541.tif 000002
【実用新案登録請求の範囲】
【請求項１】
眼鏡のテンプルやブリッジにマスク本体の上縁を掛止できる係止部を形成している日焼け防止マスク
【請求項２】
眼鏡状の枠体のテンプルやブリッジにマスク本体の上縁を取り付けてなる日焼け防止マスク
【請求項３】
マスク本体の上縁に眼鏡のテンプルやブリッジに固定する係止部を形成している日焼け防止マスク
【考案の詳細な説明】
【技術分野】
【０００１】  本考案は、日焼け防止用具、特に自動車内でのドライバーの顔の鼻より下の日焼けを防止するための日焼け防止マスクに関するものである。
【背景技術】
【０００２】  自動車にはサンバイザーが設けられているが、これは日焼けを防止するためのものではなく、日光によるドライバーの目がくらむことにより生じる事故を防止するためのものである。【０００３】  従って、夏場にはサンバイザーによっては日照を避けられない顔の鼻より下の部分が日焼けすることとなるが、顔のような目立つ箇所が部分的に日焼けすることは好ましいものではない。【０００４】  そこで、代用として耳掛け式の大きなマスクをつけることも考えられるが、このようなマスクでは口や鼻を押さえつけるため息苦しくなり長時間の使用はできない。特に夏場では暑苦しくもあり殆ど利用することはできない。【０００５】  なお、日焼け防止の用具としては腕カバーなどはあるが、本考案のように顔の鼻より下の日焼けを防止できるようにした用具はない。
【考案の開示】
【考案が解決しようとする課題】
【０００６】  本考案は、夏季に使用しても暑苦しくなく、顔の鼻より下の日焼けを防止できる日焼け防止用具を提供しようとするものである。
【課題を解決するための手段】
【０００７】  このような問題点を解決するために、本考案では、夏場にはドライバーがサングラスをかけて運転することが少なくないことから、眼鏡のテンプルやブリッジ等を利用したマスクができるようにしたものである。このようにすることによって、通気性のよいマスクを提供できるからである。【０００８】  眼鏡に顔の下半分を覆うＵＶカット素材や遮光性素材などの布を取り付けるようにしたものである。【０００９】  すなわち、眼鏡のテンプルに布製マスクの上縁に設けたフックを掛止し、マスクの略中央に位置する上縁に設けたフックを眼鏡のブリッジに掛止する。【００１０】  このようにすることによって、眼鏡のテンプルやブリッジにマスクを垂下することができるので、口を布が圧迫することがなく、快適に運転ができる。【００１１】  なお、既成のサングラスなどの眼鏡にも利用できるように眼鏡フレームに布を係止できるようにするのではなく、マスク本体の布を眼鏡状のフレームに固着することも可能である。【００１２】  すなわち、眼鏡状のフレームの下枠に沿って布を形成する。その布の上縁を眼鏡フレームの下枠に取り付ける。
【考案の効果】
【００１３】  本考案は、このような構成であるので、顔の鼻より下の部分の日焼けを防止することができるだけでなく、装着しても布が顔に密着せず顔と布の間が通気可能となり暑苦しくなることもない。また、眼鏡の側面のテンプルにも布をかけることとなるので、完全に顔の鼻より下の部分の日焼け防止ができる。【００１４】  本考案のマスクを眼鏡に取り付ける方法としては、図１のようにマスクの上縁にフックを取り付けるのが取り外しに便利であるが、使用に応じて適宜の取り付け方がある。
【考案を実施するための最良の形態】
【実施例】
【００１５】  図１は、眼鏡枠に取り付けた状態を示す、本考案の実施例であって、眼鏡１のテンプル２やブリッジ３などに係止できるようにマスク１１の上縁１２の適宜の位置にフック１３を設けている。【００１６】  なお、マスク１１を眼鏡に係止する手段としては、図２のように、マスク１１の上縁にホック２２留めできる係止舌片２１を設けることや、図３のようにマスクの側面上縁にベルベット式ファスナー３２などで止着できる折り返し片３１を設けることもよい。この係止舌片２１や折り返し片３１によって眼鏡１のテンプル２にマスクを止めることができる。【００１７】  マスク１１の布は、ＵＶカット素材や遮光性素材のものが紫外線などを防ぐことができるので望ましい。【００１８】  マスクの上縁１２の前面部は、眼鏡１のフレームの下枠に沿った形状とし、視覚の邪魔にならないようにしている。【００１９】  図４のように、眼鏡１のテンプル２が挿通できるようにマスク地の周縁の折しろ４２を袋縫いや折伏せ縫いとし、マスク４１の側面の折りしろ部分４２の内側面の前後に眼鏡の耳掛け部（モダン）の先端を挿通するためのスリット４３、４４を設けておくのもよい。【００２０】  このようにすることによって、マスクの側面がテンプル全体で保持されるので確実に眼鏡にマスクを取り付けることができ外れにくくなり安心して運転することができるからである。【００２１】  また、図５のようにマスク５１の顔面側の上縁の折しろ部５２にワイヤー５３を挿通しておくと、マスク５１が垂れ下がりにくくなる。なお、ワイヤーの両端部を円環状に曲折５５しておき、この部分をマスク本体に縫い付けておくとワイヤーが固定され安定することとなる。【００２２】  この場合、マスク５１の上縁の折しろ部５２にワイヤーを挿通するだけでなく、マスク５１の側面上縁の上部適宜位置にワイヤー５３を湾曲突出５４させておくと、この突出部分５４を眼鏡１のテンプル２やブリッジ３に掛止できる【００２３】  既成の眼鏡に取り付けるだけでなく、眼鏡を掛けないドライバーの場合には、図６のように、眼鏡状の係止具６１にマスク６２の上縁を一体的に取り付けることによって同様の効果を得ることができる。
【図面の簡単な説明】
【００２４】
【図１】本考案の斜視図である。
【図２】本考案の第２の実施例の部分斜視図である。
【図３】本考案の第３の実施例の部分斜視図である。
【図４】本考案の第４の実施例の部分斜視図である。
【図５】（ａ）は本考案の第５の実施例の正面図、（ｂ）は（ａ）のＡ−Ａ線断面図である。
【図６】本考案の第６の実施例の斜視図である。
【符号の説明】
【００２５】１    眼鏡
２    テンプル
３    ブリッジ
１１  マスク
【図１】
0003133541.tif 000003
【図２】
0003133541.tif 000004
【図３】
0003133541.tif 000005
【図４】
0003133541.tif 000006
【図５】
0003133541.tif 000007
【図６】
0003133541.tif 000008
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
眼鏡のフレームの下枠に沿って上縁を形成してなるマスク本体の上縁を眼鏡のテンプルに取り外し自在に掛止するとともに、マスク本体の略中央に位置する上縁を眼鏡のブリッジに取り外し自在に掛止するようにしてなる日焼け防止マスク
【請求項２】
マスク地の周縁の折しろ４２を袋縫いや折伏せ縫いとして形成した挿通孔に眼鏡１のテンプル２が挿通できるようにしてなる日焼け防止マスク
【請求項３】
眼鏡状に形成した係止具の枠に沿って上縁を形成してなるマスク本体の上縁を係止具に取り付けてなる日焼け防止マスク